(57)【特許請求の範囲】
【請求項１】
無線ＬＡＮ環境で、移動局のためのハンドオフ方法において、
ＥＳＳ（Ｅｘｔｅｎｄｅｄ  Ｓｅｒｖｉｃｅ  Ｓｅｔ）内のアクセスポイントに関するチャンネル情報を前記移動局の現在アクセスポイントから受信する段階と、
前記移動局の新しいアクセスポイントを選択するために前記チャンネル情報を利用してチャンネルをスキャニングする段階と、
チャンネルスキャニングによって新たなアクセスポイントを選択する段階と、
前記新たなアクセスポイントにリアソシエーションメッセージを出力する段階と、
前記新たなアクセスポイントと前記移動局の先アクセスポイントとの間に設定された臨時連結に応答して前記新たなアクセスポイントからリアソシエーション応答メッセージを受信する段階とを含み、
前記ＥＳＳ内の前記アクセスポイントの各アクセスポイントに対応する前記チャンネル情報は、ＢＳＳ（Ｂａｓｉｃ  Ｓｅｒｖｉｃｅ  Ｓｅｔ）の識別子と、前記アクセスポイントのアドレスと、前記アクセスポイントが使用するチャンネルに関する情報と、前記アクセスポイントに隣接した１つ以上のアクセスポイントに関する情報とを含み、
前記チャンネルをスキャニングする段階は、前記チャンネル情報に含まれる前記アクセスポイントが使用するチャンネルのみスキャニングし、
前記臨時連結は、前記新たなアクセスポイントが最適連結を設定するまでサービスデータが出力される連結であることを特徴とするハンドオフ方法。
【請求項２】
前記現在アクセスポイントにハンドオフアラートメッセージを出力する段階をさらに含み、
前記チャンネル情報受信段階は、前記ハンドオフアラートメッセージに対応する前記チャンネル情報を含む前記応答メッセージを受信する段階を含むことを特徴とする請求項１に記載のハンドオフ方法。
【請求項３】
前記ハンドオフアラートメッセージ出力段階は、前記現在アクセスポイントから弱い信号を受信することに応答し、前記ハンドオフアラートメッセージを出力する段階を含むことを特徴とする請求項２に記載のハンドオフ方法。
【請求項４】
無線ＬＡＮ環境で、移動局のためのハンドオフ方法において、
ハンドオフアラートメッセージの受信に応答してＥＳＳ内のアクセスポイントに関するチャンネル情報を収集する段階と、
前記ハンドオフアラートメッセージに応答し、前記チャンネル情報を含む前記応答メッセージを出力する段階と、
前記チャンネル情報に基づき選択された前記移動局の新たなアクセスポイントと設定された臨時連結に応答して前記移動局へのサービスを止める段階と、
前記臨時連結を通じて前記新たなアクセスポイントにサービスデータを出力する段階とを含み、
前記ＥＳＳ内のアクセスポイントに関するチャンネル情報は、ＢＳＳの識別子と、前記アクセスポイントのアドレスと、前記アクセスポイントが使用するチャンネルに関する情報と、前記アクセスポイントに隣接した１つ以上のアクセスポイントに関する情報とを含み、
前記臨時連結は、前記新たなアクセスポイントが最適連結を設定するまでサービスデータが出力される連結であることを特徴とするハンドオフ方法。
【請求項５】
前記チャンネル情報収集段階は、
前記ＥＳＳ内の前記アクセスポイントにハンドオフ通報メッセージを放送する段階と、
前記ＥＳＳ内の前記アクセスポイントから前記チャンネル情報を含むアクノレッジメントメッセージを受信する段階とを含むことを特徴とする請求項４に記載のハンドオフ方法。
【請求項６】
前記ハンドオフ通報メッセージに応答して個別チャンネル情報を含むアクノレッジメントメッセージを出力する段階をさらに含むことを特徴とする請求項４に記載のハンドオフ方法。
【請求項７】
無線ＬＡＮ環境で、移動局に関するハンドオフを行うアクセスポイントにおいて、
ハンドオフアラートメッセージを受信して前記ハンドオフアラートメッセージに対応する応答メッセージを出力するハンドオフアラートメッセージ処理部と、
前記応答メッセージに含まれた、ＥＳＳ内のアクセスポイントに関するチャンネル情報を収集するチャンネル情報収集部と、
前記移動局からリアソシエーションメッセージを受信し、前記リアソシエーションメッセージに対応する応答メッセージを前記移動局に出力するリアソシエーションメッセージ処理部と、
前記リアソシエーションメッセージに含まれた情報を用いて前記移動局の先アクセスポイントとの臨時連結を設定し、前記アクセスポイントと前記移動局との間に設定された最適連結に応答して前記臨時連結を終了する臨時連結／終了処理部とを含み、
前記ＥＳＳ内のアクセスポイントに関するチャンネル情報は、ＢＳＳの識別子と、前記アクセスポイントのアドレスと、前記アクセスポイントが使用するチャンネルに関する情報と、前記アクセスポイントに隣接した１つ以上のアクセスポイントに関する情報とを含み、
前記臨時連結は、前記アクセスポイントが最適連結を設定するまでサービスデータが出力される連結であることを特徴とするアクセスポイント。
【請求項８】
前記チャンネル情報を保存する貯蔵部をさらに含むことを特徴とする請求項７に記載のアクセスポイント。
【請求項９】
前記チャンネル情報収集部は、
前記ＥＳＳ内の前記アクセスポイントに関する前記チャンネル情報を収集するためにハンドオフ通報メッセージを出力するハンドオフ通報メッセージ伝送部と、
前記アクセスポイントから前記アクセスポイントに関する前記チャンネル情報を含むハンドオフ応答メッセージを受信するハンドオフ通報アクノレッジメントメッセージ受信部とを含むことを特徴とする請求項７に記載のアクセスポイント。
【請求項１０】
前記リアソシエーションメッセージ処理部は、前記設定された臨時連結に応答し、前記移動局に前記応答メッセージを出力することを特徴とする請求項７に記載のアクセスポイント。
【請求項１１】
前記移動局との連結再調節を行って再連結を設定する連結探索部をさらに含むことを特徴とする請求項７に記載のアクセスポイント。
【請求項１２】
無線ＬＡＮ環境に利用される移動局において、
ＥＳＳ内のアクセスポイントに関するチャンネル情報を現在アクセスポイントから受信するハンドオフアラートメッセージ処理部と、
前記チャンネル情報を用いて新たなアクセスポイントをスキャンするスキャニング部と、
前記スキャンによって選択された新たなアクセスポイントとリアソシエーションを設定するリアソシエーションメッセージ処理部と、
前記現在アクセスポイントに関する情報を含むリアソシエーションメッセージを出力し、前記新たなアクセスポイントと前記現在アクセスポイントとの間に設定された臨時連結に応答して前記新たなアクセスポイントからリアソシエーション応答メッセージを受信するリアソシエーションメッセージ処理部とを含み、
前記ＥＳＳ内のアクセスポイントに関するチャンネル情報は、ＢＳＳの識別子と、前記アクセスポイントのアドレスと、前記アクセスポイントが使用するチャンネルに関する情報と、前記アクセスポイントに隣接した１つ以上のアクセスポイントに関する情報とを含み、
前記スキャニング部は、前記チャンネル情報に含まれる前記アクセスポイントが使用するチャンネルのみスキャニングし、
前記臨時連結は、前記新たなアクセスポイントが最適連結を設定するまでサービスデータが出力される連結であることを特徴とする移動局。
【請求項１３】
前記スキャニング部のスキャニング結果によって最も強い信号を有したアクセスポイントを前記新しいアクセスポイントとして選択するアクセスポイント選択部をさらに含むことを特徴とする請求項１２に記載の移動局。
【請求項１４】
前記アクセスポイントに関するチャンネル情報を保存する貯蔵部をさらに含むことを特徴とする請求項１２に記載の移動局。
【請求項１５】
前記ハンドオフアラートメッセージ処理部は、
前記現在アクセスポイントにハンドオフアラートメッセージを出力するハンドオフアラートメッセージ伝送部と、
前記ハンドオフアラートメッセージに応答し、前記チャンネル情報を含む応答メッセージを受信するハンドオフアラートアクノレッジメントメッセージ受信部とを含むことを特徴とする請求項１２に記載の移動局。
【請求項１６】
前記アクセスポイントの信号強さを検出する信号強さ検出部をさらに含み、
前記ハンドオフアラートメッセージ伝送部は前記現在アクセスポイントの所定信号強さに応答し、前記ハンドオフアラートメッセージを出力することを特徴とする請求項１５に記載の移動局。
【発明の詳細な説明】
【技術分野】
【０００１】
本発明は無線ＬＡＮ（Ｌｏｃａｌ Ａｒｅａ Ｎｅｔｗｏｒｋ）上でのモバイルステーションのハンドオフ方法に係り、さらに詳細には無線ＬＡＮ上でＱｏＳ（Ｑｕａｌｉｔｙ ｏｆ Ｓｅｒｖｉｃｅ）を保証できるハンドオフ方法、無線ＬＡＮ上のハンドオフを行うアクセスポイント（ＡＰ）、無線ＬＡＮ上のハンドオフを行うモバイルステーションに関する。
【背景技術】
【０００２】
マルチメディアとネットワーク使用の拡張でマルチメディアデータのＱｏＳをネットワーク上で保証をする研究が活発に進められている。また、ネットワークが無線化している趨勢にユーザは既存の有線上でのＱｏＳと同じサービスを要求している。無線ＬＡＮの技術として高い帯域幅を指向する８０２．１１ａと８０２．１１ｇとが出てくるようになり、かかるユーザの要求によりＱｏＳを支援する８０２．１１ｅが現在進行中にある。
【０００３】
しかし、ＱｏＳを支援する多くのＭＡＣ技術が開発されたにもかかわらず、無線環境中最も重要なモバイル環境ではそうしたＭＡＣ技術の意味がなくなる。すなわち、モバイル環境でのＱｏＳを提供するための高速ハンドオフサービスを支援しないためである。従って、無線ＬＡＮを装着したコンピュータが他のセルに移る時に発生する長い遅延時間のゆえに、リアルタイムマルチメディアデータのためのＱｏＳを保証されなくなる。
【０００４】
図１はサブネットＺにある１つのモバイルステーション１５０がサブネットＸにある他のモバイルステーション１４０とＱｏＳ連結がなされている時、前記モバイルステーション１４０がサブネットＹにローミングされる過程を図示する。
【０００５】
無線ＬＡＮ上のモバイルステーションがサブネットＸからサブネットＹにローミングをする時、ＭＡＣでの従来の技術動作は次の通りである。この時、実質的なローミングは１つのＥＳＳ（Ｅｘｔｅｎｄｅｄ Ｓｅｒｖｉｃｅ Ｓｅｔ）内だけでなされ、図１のサブネットＸとサブネットＹとは同じＥＳＳであり、互いに一部重なっていると仮定する。
【０００６】
ローミングを行うモバイルステーション１４０がサブネットＸ １１０からサブネットＹ １２０に近づく時にサブネットＸからのシグナルが弱くなれば、ローミングのためのチャンネル検索が始まる。例えば、全体チャンネルが１２個ならば、受動モードである場合には、サブネットＹから１２チャンネル全てからビーコンフレームを受信し、能動モードである場合には、１２チャンネル全てに対してプローブ要請を送る。
【０００７】
それにより、モバイルステーションはさらに強いビーコンフレームまたはプローブ応答を送るＡＰを選択するようになり、新しいＡＰ（サブネットＹのＡＰ）にリアソシエーション要請を送る。リアソシエーション要請には以前ＡＰ（サブネットＸのＡＰ）についての情報と自体の情報とが含まれており、この時以前ＡＰはモバイルステーションがハンドオフした事実を知らずにおり、新しいＡＰがこのような事実を知らせて初めて知るようになり、この時インター・アクセスポイント・プロトコル（Ｉｎｔｅｒ Ａｃｃｅｓｓ Ｐｏｉｎｔ Ｐｒｏｔｏｃｏｌ：ＩＡＰＰ）が使われる。ＡＰ間では有線や他の媒体で通信が可能である。
【０００８】
図１に図示されたような無線ＬＡＮでの従来のローミングサービスは連結がなされないローミングを提供している。すなわち、ＱｏＳが必要なリアルタイムストリームを受けている場合、サブネットＸからサブネットＹにモバイルステーションがローミングを行う時、そのＱｏＳストリームは保証を受けられなくなる。そうした理由は、サブネットＸにあるＡＰがモバイルステーションがローミングを行った事実を知らないためで、ローミングが終わった後で新しいＡＰがこの事実を知らせるためである。すなわち、ＱｏＳストリームコネクションをなしているサブネットＸのＡＰはローミングの終わったモバイルステーションに続けてＱｏＳデータを送るようになり、そのデータのアクノリッジを受けられず、これはサブネットＸ全体の性能にも大きい影響を及ぼす。また、ローミングしたモバイルステーションもＱｏＳストリームを失うようになり、もしＩＡＰＰでＱｏＳストリームを再び探すとしてもデータの損失が非常に大きい。
【０００９】
また、従来技術の最大の問題点は図２に図示されたように、全体プローブディレイの９０〜９５％が媒体検索（２００〜４００ｍｓ）に消費されるということである。例えば、１２個のチャンネルがあれば、実際使用のいかんに関係なく全体チャンネルをスキャンするために実際使われないチャンネルに対しても全てプローブ要請送信後にＭｉｎＣｈａｎｎｅｌＴｉｍｅの間に応答を待たなければならず、また応答が発生した場合にもそのチャンネルを使用する他のＡＰがあるかないかを確認するために、再びＭａｘＣｈａｎｎｅｌＴｉｍｅの間待った後で次のチャンネルをスキャンする。しかし、実際には隣接したＢＳＳ（Ｂａｓｉｃ Ｓｅｒｖｉｃｅ Ｓｅｔ）はチャンネル干渉などを避けるために４つほどのチャンネルだけを使用するために、無条件全て全体チャンネルを検索することはプローブディレイを増加させる要因になる。
【００１０】
ハンドオフ技術は無線環境で最も重要な技術のうちの１つである。その理由は、速度が高まるにつれて周波数帯域が大きくなって伝送できる領域が小さくなるためである。また、マルチメディアデータのためのＱｏＳ提供が要求されるにつれ、さらに速いハンドオフ技術が必要になっている。また、ＩＰｖ６の技術でレイヤ３でのモバイル機能が強化されているにもかかわらず、ＭＡＣレイヤ（レイヤ２）での高速ハンドオフ技術が具現されずに実質的なハンドオフを提供できない。
【発明の開示】
【発明が解決しようとする課題】
【００１１】
本発明は前記のような課題を解決して無線ＬＡＮのＭＡＣでＱｏＳを保証できるように速いハンドオフを実現するためのハンドオフ方法、無線ＬＡＮ上のハンドオフを行うアクセスポイント、無線ＬＡＮ上のハンドオフを行うモバイルステーションを提供することを目的とする。
【課題を解決するための手段】
【００１２】
前記のような課題を解決するための本発明の１つの特徴は、無線ＬＡＮ上のハンドオフ方法において、ａ）モバイルステーションはハンドオフが起きることを知らせるハンドオフ知らせメッセージを現在アクセスポイントに伝送する段階と、ｂ）前記ハンドオフ知らせメッセージを受信した現在アクセスポイントはＥＳＳ内のＡＰに対するチャンネル情報を収集し、前記ハンドオフ知らせメッセージに対する応答メッセージに前記収集されたチャンネル情報を載せて前記モバイルステーションに伝送する段階と、ｃ）前記モバイルステーションは前記応答メッセージに載せたチャンネル情報を利用して新しいアクセスポイントをスキャニングし、信号の強さが最大のＡＰを選択する段階とを含むことである。
【００１３】
本発明の他の特徴は、無線ＬＡＮ上のハンドオフ方法において、ａ）モバイルステーションがハンドオフを感知してチャンネルスキャニングをして新しいＡＰを選択する段階と、ｂ）前記モバイルステーションは前記新しいＡＰにリアソシエーションメッセージを伝送する段階と、ｃ）前記新しいＡＰは以前ＡＰと臨時連結を設定する段階と、ｄ）前記臨時連結が完了すれば、前記新しいＡＰはモバイルステーションにリアソシエーション応答メッセージを伝送する段階と、ｅ）新しいＡＰは最適の連結を設定する段階と、ｆ）前記最適の連結が完了すれば、前記以前ＡＰとの臨時連結を終了する段階とを含むことである。
【００１４】
本発明のさらに他の特徴は、無線ＬＡＮ上でハンドオフを行うアクセスポイント装置において、モバイルステーションからハンドオフが発生したことを知らせるハンドオフ知らせメッセージを受信し、受信されたハンドオフ知らせメッセージに対する応答メッセージを伝送するハンドオフ知らせメッセージ処理部と、前記ハンドオフ知らせメッセージを受信すれば、ＥＳＳ内のＡＰからチャンネル情報を収集するチャンネル情報収集部と、前記チャンネル情報収集部により収集されたＡＰに対するチャンネル情報を保存するＤＳＴ（Ｄｉｓｔｒｉｂｕｔｅｄ Ｓｅｒｖｉｃｅ Ｔａｂｌｅ）貯蔵部とを含み、前記ハンドオフ知らせメッセージ処理部は前記応答メッセージに前記ＤＳＴ貯蔵部に保存されたＥＳＳ内のＡＰに対するチャンネル情報を載せて伝送することである。
【００１５】
本発明のさらに他の特徴は、無線ＬＡＮ上でハンドオフを行うモバイルステーションにおいて、ＡＰから受信した信号の強さを感知してハンドオフが発生することを知らせるハンドオフ知らせメッセージを以前ＡＰに伝送し、これに対する応答としてＥＳＳ内のＡＰに対するチャンネル情報が収められた応答メッセージを受信するハンドオフ知らせメッセージ処理部と、前記受信されたＡＰに対するチャンネル情報を保存するＤＳＴ貯蔵部と、前記ＤＳＴ貯蔵部に保存されたＡＰのチャンネル情報を利用して新しいＡＰをスキャニングするスキャニング部と、前記スキャニング部のスキャニング結果信号の強さが最大のＡＰを選択するＡＰ選択部とを含むことである。
【発明の効果】
【００１６】
本発明によれば、無線ＬＡＮ上のモバイルステーションのハンドオフ動作時、全体チャンネル帯域を全てスキャニングするのでなく、モバイルステーション周りの実際に存在するチャンネルに対してだけスキャニングすればいいので、プローブディレイをかなり減少させられ、またモバイルステーションのローミングの終了した後、以前ＡＰにハンドオフが起きた事実を知らせるのでなく、モバイルステーションがリアソシエーション応答メッセージを受ける前に現在ＡＰと以前ＡＰ間に臨時連結を設定し、その間のデータを現在ＡＰがその臨時連結を通じてバッファリングしておくことによりハンドオフ動作によりなくなりうるデータを減少させられる。例えば、全体チャンネルが１２個、ＭｉｎＣｈａｎｎｅｌＴｉｍｅが２０ｍｓ、ＭａｘＣｈａｎｎｅｌＴｉｍｅが４０ｍｓである時、従来の方法は３２０ｍｓがかかり、本発明による方法は８０ｍｓがかかる。従って、このように迅速なハンドオフ動作と以前ＡＰと現在ＡＰ間の臨時連結設定とにより無線ＬＡＮ上のＱｏＳを保証できるようになる。
【発明を実施するための最良の形態】
【００１７】
本発明が無線ＬＡＮのＭＡＣでＱｏＳを保証できるように速いハンドオフを実現するための手段として着眼したのは、モバイルステーションがチャンネル検索するのにかかる時間であるプローブディレイを減少させ、モバイルステーションにリアソシエーション応答メッセージを伝送する前に新しいＡＰと以前ＡＰ間に臨時連結を設定し、ローミング過程間に損失しうるデータストリームをこのような臨時連結を通じてバッファリングしておこうというものである。
【００１８】
以下、添付された図面を参照して本発明の実施例を詳細に説明する。
図３に本発明によるハンドオフ動作が行われる無線ＬＡＮ網の概念図が図示されている。モバイルステーション３３０がサブネットＸ ３１０からサブネットＹ ３２０にＱｏＳコネクションを保持しつつハンドオフする過程を示す。モバイルステーションは弱い信号を受ける時、自体のサブネットＸ ３１０のＡＰにハンドオフアラートを送り、ＡＰは応答としてアクノリッジを送る。アクノリッジ内には周辺ＡＰのチャンネル情報が最大４つまで入っており、モバイルステーションは周辺ＡＰのチャンネル情報を利用してスキャニングをする。
【００１９】
そして、スキャニングの結果、モバイルステーション３３０はより強い信号により選択されたＡＰ（サブネットＹ ３２０のＡＰ）にリアソシエーション要請を送る。リアソシエーション要請には以前ＡＰ（サブネットＸ ３１０のＡＰ）のＭＡＣアドレスが含まれており、これを受けた新しいＡＰ（サブネットＹ ３２０のＡＰ）が自体にハンドオフする事実を認知する。次に、新しいサブネットＹ ３２０のＡＰがサブネットＸ ３１０の以前ＡＰと臨時的にＱｏＳ連結を設定すれば、サブネットＸ ３１０の以前ＡＰはモバイルステーション３３０にそれ以上サービスを提供せず、リアソシエーション応答をモバイルステーション３３０に送るまでサブネットＹ ３２０の新しいＡＰはデータをバッファリングした後、リアソシエーション応答を送ってからモバイルステーションに対してサービスを提供する。その後、サブネットＹ ３２０の新しいＡＰは連結再調節を行い、再び最適の連結を探してモバイルステーション３３０にサービスを提供する。サブネットＹ ３２０の新しいＡＰが最適の連結を探してＱｏＳコネクションがなされた後には、サブネットＸ ３１０の以前ＡＰとサブネットＹ ３２０の新しいＡＰ間になされた一時的連結は除去される。
【００２０】
図４Ａ及び図４Ｂは本発明によるハンドオフ動作過程の一例を示す。
モバイルステーションが移動するにつれて現在サービスを受けているＡＰから受信する信号の強さが弱くなることを感知する（Ｓ４０１）。
【００２１】
それにより、モバイルステーションはハンドオフ知らせメッセージを現在ＡＰ（現在までモバイルステーションにサービスを提供したＡＰ）に伝送する（Ｓ４０２）。前記ハンドオフ知らせメッセージは現在ハンドオフが起きているので次のＡＰについての情報を伝送することを要求する意味を含んでいるメッセージでハンドオフが起きるモバイルステーションから現在ＡＰに伝送される。
【００２２】
このようなハンドオフ知らせメッセージを受信した現在のＡＰはＥＳＳ内のＡＰにチャンネル情報を要請するチャンネル情報要請メッセージをブロードキャストする（Ｓ４０３）。
それにより、このようなチャンネル情報要請メッセージを受信したＥＳＳ内の各ＡＰは自体のチャンネル情報を収めたアクノレッジメッセージを現在ＡＰに伝送する（Ｓ４０４）。
【００２３】
アクノレッジメッセージを受信した現在ＡＰは他のＡＰから受信したチャンネル情報をハンドオフ知らせメッセージに対するアクノレッジメッセージに込めてモバイルステーションに伝送する（Ｓ４０５）。
【００２４】
次に、モバイルステーションは前記ＡＰから受信したチャンネル情報を利用し、チャンネルスキャニングを行う（Ｓ４０６）。このようにチャンネルスキャニング時に全てのチャンネルをスキャニングするのではなく、ＡＰから受信したチャンネルに対してだけスキャニングをすることによりチャンネルスキャニング時間を縮められる。
その後、モバイルステーションはチャンネルスキャニングの結果、信号の強さが最大のＡＰを選択する（Ｓ４０７）。
【００２５】
次に、モバイルステーションは新しく選択されたＡＰに以前ＡＰと自体の情報を収めたリアソシエーション要請メッセージを伝送する（Ｓ４０８）。
このようなリアソシエーション要請メッセージを受信した新しいＡＰは以前ＡＰとの臨時連結を設定するためにＱｏＳ連結要請メッセージを以前ＡＰに伝送する（Ｓ４０９）。
これを受信した以前ＡＰはＱｏＳ連結応答メッセージを新しいＡＰに伝送する（Ｓ４１０）。
【００２６】
次に、新しいＡＰはリアソシエーション応答メッセージをモバイルステーションに伝送する（Ｓ４１１）。ここで、新しいＡＰはリアソシエーション応答メッセージをモバイルステーションに伝送するまで前記臨時連結を通じて以前ＡＰから受信したデータストリームをバッファリングしておく。このような臨時連結を通じたデータストリームバッファリングによりモバイルステーションのローミング過程の間に発生しうるデータの損失を防止できる。
そして、以前ＡＰまたは新しいＡＰと臨時連結がなされた後にはモバイルステーションに対してサービスを提供しない。
【００２７】
次に、新しいＡＰは公知の方法により最適の連結を探索して最適連結を獲得する（Ｓ４１２）。
最適連結が設定された後に新しいＡＰは以前ＡＰとの臨時連結を終了するために、連結終了要請メッセージを以前のＡＰに伝送する（Ｓ４１３）。
このような連結終了要請メッセージを受信した以前ＡＰはアクノリッジメッセージを新しいＡＰに伝送する（Ｓ４１４）。このような動作により以前ＡＰと新しいＡＰ間の臨時連結は終了する。
【００２８】
図５は本発明によってハンドオフ動作時に送受信されるメッセージの流れを図示する。
まず、モバイルステーションはＨＡＮＤＯＦＦ ＡＬＥＲＴメッセージをＯＬＤ＿ＡＰに伝送する（５０１）。
ＯＬＤ＿ＡＰはＨＡＮＤＯＦＦ ＡＬＥＲＴメッセージを受信し（５０２）、ＡＰのチャンネル情報を収集する（５０３）。そして、収集したチャンネル情報を前記ＨＡＮＤＯＦＦ ＡＬＥＲＴメッセージに対するＡＣＫメッセージに載せてモバイルステーションに伝送する（５０４）。
【００２９】
それにより、モバイルステーションはＡＣＫメッセージを受信し（５０５）、ＡＣＫメッセージに入れられたチャンネル情報を利用し、チャンネルスキャニングを行って新しいＡＰを選択する（５０６）。その後、モバイルステーションはＲＥＡＳＳＯＣＩＡＴＩＯＮ ＲＥＱＵＥＳＴメッセージをＮＥＷ＿ＡＰに伝送する（５０７）。
【００３０】
ＮＥＷ＿ＡＰはＲＥＡＳＳＯＣＩＡＴＩＯＮ ＲＥＱＵＥＳＴメッセージを受信し（５０８）、臨時連結のためＣＯＮＮＥＣＴＩＯＮ ＲＥＱＵＥＳＴメッセージをＯＬＤ＿ＡＰに伝送する（５０９）。
ＯＬＤ＿ＡＰはＣＯＮＮＥＣＴＩＯＮ ＲＥＱＵＥＳＴメッセージを受信し（５１０）、ＣＯＮＮＥＣＴＩＯＮ ＲＥＳＰＯＮＳＥメッセージをＮＥＷ＿ＡＰに伝送する（５１１）。
【００３１】
ＮＥＷ＿ＡＰはＣＯＮＮＥＣＴＩＯＮ ＲＥＳＰＯＮＳＥメッセージを受信し（５１２）、ＲＥＡＳＳＯＣＩＡＴＩＯＮ ＲＥＳＰＯＮＳＥメッセージをモバイルステーションに伝送し（５１３）、ＯＰＴＩＭＡＬ ＣＯＮＮＥＣＴＩＯＮを探せば（５１５）、臨時連結を終了するためにＣＯＮＮＥＣＴＩＯＮ ＴＥＲＭＩＮＡＴＥ ＲＥＱＵＥＳＴメッセージをＯＬＤ＿ＡＰに伝送する（５１６）。
ＯＬＤ＿ＡＰはＣＯＮＮＥＣＴＩＯＮ ＴＥＲＭＩＮＡＴＥ ＲＥＱＵＥＳＴメッセージを受信し（５１７）、ＡＣＫメッセージをＮＥＷ＿ＡＰに伝送する（５１８）。
【００３２】
図６は本発明によるハンドオフ動作過程のうち現在ＡＰが他のＡＰからチャンネル情報を収集する過程を具体的に説明するための無線ＬＡＮ網の概念図であり、図７は本発明によるハンドオフ動作過程のうち現在ＡＰが他のＡＰからチャンネル情報を収集する過程でのメッセージ送受信フローチャートである。
【００３３】
さて、図６及び図７を参照して現在ＡＰが他のＡＰからチャンネル情報を収集する過程を説明する。
ハンドオフが起きているモバイルステーション６６０はハンドオフ知らせメッセージ６０１を現在ＡＰのＡＰ１ ６１０に伝送する。
それにより、ＡＰ１ ６１０はチャンネル情報を要請するメッセージ６０２をＥＳＳ内のＡＰ、ＡＰ２ ６２０、ＡＰ３ ６３０、ＡＰ４ ６４０、ＡＰ５ ６５０にブロードキャストする。
【００３４】
このようなチャンネル情報を要請するメッセージを受信したＡＰはそれ自体のチャンネル情報を載せたチャンネル情報応答メッセージをＡＰ１に伝送する。すなわち、ＡＰ２ ６２０はチャンネル情報応答メッセージ６０３、ＡＰ３ ６３０はチャンネル情報応答メッセージ６０４を、ＡＰ４ ６４０はチャンネル情報応答メッセージ６０５を、ＡＰ５ ６５０はチャンネル情報応答メッセージ６０６をＡＰ１ ６１０に伝送する。
【００３５】
このような各ＡＰからチャンネル情報応答メッセージを受信したＡＰ１は受信されたチャンネル情報を利用し、ＤＳＴ（Ｄｉｓｔｒｉｂｕｔｅｄ Ｓｅｒｖｉｃｅ Ｔａｂｌｅ）を作り、前記ＤＳＴ情報、すなわちチャンネル情報６０７をモバイルステーションに伝送する。
このようにすることにより、モバイルステーションは自体の周りにあるＡＰのチャンネル情報が分かる。
【００３６】
このような過程でのメッセージ流れが図７に図示されている。
現在ＡＰは周りの候補ＡＰ１、ＡＰ２、ＡＰ３にチャンネル情報要請のためにＨＡＮＤＯＦＦ−ＮＯＴＩＦＹメッセージ７１０を伝送し、周りの各ＡＰ候補ＡＰ１はＨＡＮＤＯＦＦ−ＲＥＳＰＯＮＳＥ７２０を、候補ＡＰ２はＨＡＮＤＯＦＦ−ＲＥＳＰＯＮＳＥ７３０を、候補ＡＰ３はＨＡＮＤＯＦＦ−ＲＥＳＰＯＮＳＥ７４０を現在ＡＰに伝送することにより現在ＡＰは周囲ＡＰについての情報を得られる。
【００３７】
図８は本発明によるハンドオフ動作を行うＡＰの構成の一例を図示する。
前記ＡＰ ８００はモバイルステーションからハンドオフ知らせメッセージを受信し、受信したハンドオフ知らせメッセージに対する応答メッセージを伝送するハンドオフ知らせメッセージ処理部８１０と、ＥＳＳ内のＡＰにチャンネル情報を要請して収集するチャンネル情報収集部８２０と、前記収集されたチャンネル情報を保存したテーブルのＤＳＴ ８３０と、モバイルステーションからリアソシエーションメッセージを受信してこれに対する応答メッセージを伝送するリアソシエーション要請／応答メッセージ送受信部８４０と、臨時連結を設定して設定された臨時連結を終了する臨時連結／終了処理部８５０と、最適連結を探索して処理する最適連結探索部８６０とを含む。
【００３８】
ハンドオフ知らせメッセージ処理部８１０はモバイルステーションから伝送されるハンドオフ知らせメッセージを受信するハンドオフ知らせメッセージ受信部８１１と前記ハンドオフ知らせメッセージに対する応答メッセージを伝送するハンドオフ知らせアクノリッジメッセージ伝送部８１２とを含む。
【００３９】
チャンネル情報収集部８２０はＥＳＳ内のＡＰにチャンネル情報を要請するハンドオフノーティファイメッセージを伝送するハンドオフノーティファイメッセージ伝送部８２１と、前記ハンドオフノーティファイメッセージに対する応答メッセージを受信するハンドオフノーティファイアクノリッジメッセージ受信部８２２とを含む。
【００４０】
ＤＳＴ ８３０は前記ハンドオフノーティファイアクノリッジメッセージに載せられてきたチャンネル情報を保存するテーブルであり、テーブルの具体的なデータ内容が図９に図示されている。
【００４１】
前記ＤＳＴ ８３０はＢＳＳの識別子を示すＢＳＳ ＩＤと、ＡＰアドレスと、ＡＰが使用するチャンネルについての情報と、前記ＡＰの周辺にある隣接ＡＰについての情報とを含む。
臨時連結／終了処理部８５０は新しいＡＰが以前ＡＰとの臨時連結を設定するためのＱｏＳ連結要請／応答メッセージ送受信部８５１と、最適連結が設定された後に前記臨時連結を終了するための連結終了要請／応答メッセージ送受信部８５２とを含む。
【００４２】
図１０は本発明によるハンドオフ動作を行うモバイルステーションの構成の一例を図示する。
前記モバイルステーション１０００は周囲ＡＰから伝送される信号の強さを感知する信号強さ感知部１０１０と、前記信号強さ感知部１０１０により現在サービスしているＡＰからの信号の強さが小さくなることを感知してハンドオフが起きることを認識すれば、ハンドオフ知らせメッセージを現在ＡＰに伝送し、前記現在ＡＰから応答メッセージを受信するハンドオフ知らせメッセージ処理部１０２０と、前記ハンドオフ知らせメッセージに対する応答メッセージに載せられてきたＥＳＳ内のＡＰのチャンネル情報を保存するＤＳＴ １０３０と、前記ＤＳＴ １０３０に保存されたチャンネル情報を利用して周囲ＡＰをスキャニングするスキャニング部１０４０と、前記スキャニング部１０４０のスキャニング結果、最も信号の強さが強いＡＰを選択するＡＰ選択部１０５０と、リアソシエーション要請／応答メッセージ送受信部１０６０とを含む。
【００４３】
ハンドオフ知らせメッセージ処理部１０２０はハンドオフ知らせメッセージを以前ＡＰに伝送するハンドオフ知らせメッセージ伝送部１０２１と前記ハンドオフ知らせメッセージに対する応答メッセージを受信するハンドオフ知らせアクノリッジメッセージ受信部１０２２とを含む。
【００４４】
スキャニング部１０４０は前記ＤＳＴ １０３０に保存されたチャンネル情報を利用してプローブ要請メッセージを伝送するプローブ要請メッセージ伝送部１０４１と前記プローブ要請メッセージに対する応答メッセージを受信するプローブ応答メッセージ受信部１０４２とを含む。
【産業上の利用可能性】
【００４５】
本発明は、無線ＬＡＮ上でマルチメディアデータを伝送する分野に利用され、例えばマルチメディアデータのリアルタイム伝送時に、ＱｏＳ保証を要求される分野に効果的に利用される。
【図面の簡単な説明】
【００４６】
【図１】従来技術によってハンドオフ動作が行われる無線ＬＡＮ網の概念図である。
【図２】従来技術によるハンドオフ動作でのプローブレーテンシを示すグラフである。
【図３】本発明によるハンドオフ動作が行われる無線ＬＡＮ網の概念図である。
【図４Ａ】本発明によるハンドオフ動作過程の一例を示すフローチャートである。
【図４Ｂ】本発明によるハンドオフ動作過程の一例を示すフローチャートである。
【図５】本発明によりハンドオフ動作時に送受信されるメッセージの流れを示す図面である。
【図６】本発明によるハンドオフ動作過程のうち現在ＡＰが他のＡＰからチャンネル情報を収集する過程を説明するための無線ＬＡＮ網の概念図である。
【図７】本発明によるハンドオフ動作過程のうち現在ＡＰが他のＡＰからチャンネル情報を収集する過程でのメッセージ送受信フローチャートである。
【図８】本発明によるハンドオフ動作を行うＡＰの構成の一実施例のブロック図である。
【図９】図８に図示されたＤＳＴの具体的なデータ内容を示す図面である。
【図１０】本発明によるハンドオフ動作を行うモバイルステーションの構成の一実施例のブロック図である。
【符号の説明】
【００４７】
３１０，３２０    サブネット
３３０    モバイルステーション
８００
８１０    ハンドオフ知らせメッセージ処理部
８２０    チャンネル情報収集部
８３０    ＤＳＴ
８４０    リアソシエーション要請/応答メッセージ送受信部
８５０    臨時連結/終了処理部
８６０    最適連結探索部
【図１】
0004309243.tif 000002
【図２】
0004309243.tif 000003
【図３】
0004309243.tif 000004
【図４Ａ】
0004309243.tif 000005
【図４Ｂ】
0004309243.tif 000006
【図５】
0004309243.tif 000007
【図６】
0004309243.tif 000008
【図７】
0004309243.tif 000009
【図８】
0004309243.tif 000010
【図９】
0004309243.tif 000011
【図１０】
0004309243.tif 000012